(57)【特許請求の範囲】
【請求項１】
射出もしくは押出成形されたプリフォームを一次ブロー成形して中間容器を成形し、該中間容器を熱処理した後、二次ブロー成形して上げ底部を有する最終容器に成形する耐熱容器の成形方法において、
前記一次ブロー成形時に、中間容器の底部に上げ底部を形成し、この上げ底部に少なくとも中間容器の外方に向けて突出し、かつ、上げ底部の中心部から放射状に延びる複数の凸部を形成し、
前記中間容器の熱処理時に、該中間容器の上げ底部に形成された凸部も熱処理させ、
前記二次ブロー成形時に、前記中間容器の凸部と対応する領域を他の上げ底部の領域よりも延伸させて最終容器の上げ底部に物性的な複数の耐熱補強部を形成し、
前記複数の耐熱補強部の各々は、前記最終容器の上げ底部の中心部から放射状に延びて形成され、
前記最終容器の上げ底部は、該上げ底部の中心から放射状に延びるリブを含まないことを特徴とする耐熱容器の成形方法。
【請求項２】
請求項１において、
前記中間容器の凸部は、上げ底部の中心部から周囲の環状接地部に延びるリブであることを特徴とする耐熱容器の成形方法。
【請求項３】
請求項１または２の成形方法に用いられる中間容器であって、
底部に上げ底部を備え、
前記上げ底部に少なくとも容器の外方に向けて突出し、かつ、上げ底部の中心部から放射状に延びる複数の凸部を備えることを特徴とする耐熱容器成形用の中間容器。
【請求項４】
射出もしくは押出成形されたプリフォームを一次ブロー成形して成形された中間容器を熱収縮させた後、二次ブロー成形して形成される、耐熱容器において、
底部に上げ底部を備え、
前記上げ底部は、その中心部から周囲の環状接地部へ放射状に延びる領域を他の上げ底部の領域よりも延伸させた複数の物性的な耐熱補強部を備えるとともに、該上げ底部の中心から放射状に延びるリブを含まないことを特徴とする耐熱容器。
【請求項５】
請求項４において、
前記上げ底部は、同心円上で順次容器の内方に窪む複数の環状の機械的補強部を備えることを特徴とする耐熱容器。
【請求項６】
請求項１または２の成形方法に用いられる中間容器成形金型であって、
前記中間容器の容器胴部形状を有する複数の割型部と、
上げ底部形状を有する上げ底型とを有し、
前記上げ底型が、少なくとも上げ底型の中心部から上げ底型と複数の割型部の合せ面方向へ放射状に延びる凹部を有することを特徴とする中間容器成形金型。
【発明の詳細な説明】
【０００１】
【産業上の利用分野】
本発明は、ブロー成形を用いた耐熱容器の成形方法、それに用いる中間容器、中間容器成形金型およびその方法により成形される耐熱容器に関する。
【０００２】
【従来の技術】
一般に、二軸延伸ブロー容器と称される合成樹脂製の薄肉の包装容器は、射出あるいは押出成形によって得られた延伸適温のプリフォームを金型内に位置させ、容器の長手方向に相当する縦方向に延伸させるとともに、内部に吹込んだ気体の圧力によって横方向に膨張させることが行われている。
【０００３】
ところで、前述の容器に用いられる材質の選択によっては、高温状態の内容物を充填した場合、胴部が変形するという問題があった。
【０００４】
そこで従来では、特開平３−２０５１２４号公報に示されるような、ブロー成形方法が用いられている。
【０００５】
このブロー成形においては、射出もしくは押出成形されたプリフォームを一次ブロー成形して、最終容器よりも大きめの中間容器を成形し、この中間容器を熱処理して熱収縮させた後、二次ブロー成形により最終容器を成形するようにしている。
【０００６】
この成形方法によれば、二次ブロー成形前の熱処理によって、耐熱性を向上させることで、９０℃の内容物の充填にも耐えることができる耐熱容器の成形が可能である。
【０００７】
【発明が解決しようとする課題】
しかしながら、前記耐熱容器においても、底部における耐熱性の向上という課題が残されていた。
そこで、現状では、通常の耐熱容器と同様に、二次ブロー成形時に上げ底部に特殊な形状のリブを成形して、機械的に補強していた。
【０００８】
この場合、特殊な形状のリブによって機械的に補強するとともに、延伸されることによって耐熱性を上げているのであるが、延伸によるひずみの除去を行っていないため特殊な形状のリブによって補強された部分であっても、内容物充填時の熱による変形を完全に抑止することはできないという問題があった。
【０００９】
これは、二次ブロー成形時に上げ底部の金型温度を上げて底部の熱処理を行おうとすると、上げ底型に対する底部の離型性が悪化することとなり、そのため底部において特殊な形状によって延伸されている部分も、単に延伸されただけで、アニーリング処理もしくはヒートセット処理等の熱処理がなされず、ひずみの残った状態となるからである。
【００１０】
このため、成形直後の最終容器の上げ底形状にくらべ、内容物を充填した後の上げ底形状は、上げ底頂部の高さが低くなってしまい、商品価値を落とすというようなこともあった。
【００１１】
本発明は、前記従来の問題点に着目してなされたもので、その目的は、中間容器の段階で、底部に上げ底部を形成する際に、上げ底部を部分的に延伸配向させ、その延伸配向された部分を次段階で熱処理することで、耐熱性を向上させることにある。
【００１２】
【課題を解決するための手段】
前記目的を達成するため、第１の発明に係る耐熱容器の成形方法は、射出もしくは押出成形されたプリフォームを一次ブロー成形して中間容器を成形し、該中間容器を熱処理した後、二次ブロー成形して上げ底部を有する最終容器に成形する耐熱容器の成形方法において、
前記一次ブロー成形時に、中間容器の底部に上げ底部を形成し、この上げ底部に少なくとも中間容器の外方に向けて突出し、かつ、上げ底部の中心部から放射状に延びる複数の凸部を形成し、
前記中間容器の熱処理時に、該中間容器の上げ底部に形成された凸部も熱処理させ、
前記二次ブロー成形時に、前記中間容器の凸部と対応する領域を他の上げ底部の領域よりも延伸させて最終容器の上げ底部に物性的な複数の耐熱補強部を形成し、
前記複数の耐熱補強部の各々は、前記最終容器の上げ底部の中心部から放射状に延びて形成され、
前記最終容器の上げ底部は、該上げ底部の中心から放射状に延びるリブを含まないことを特徴としている。
【００１３】
第２の発明に係る耐熱容器の成形方法は、
前記中間容器の凸部は、上げ底部の中心部から周囲の環状接地部に延びるリブであることを特徴としている。
【００１４】
第３の発明に係る中間容器は、底部に上げ底部を備え、
前記上げ底部に少なくとも容器の外方に向けて突出し、かつ、上げ底部の中心部から放射状に延びる複数の凸部を備えることを特徴としている。
【００１６】
第４の発明に係る耐熱容器は、射出もしくは押出成形されたプリフォームを一次ブロー成形して成形された中間容器を熱収縮させた後、二次ブロー成形して形成される、耐熱容器において、
底部に上げ底部を備え、
前記上げ底部は、その中心部から周囲の環状接地部へ放射状に延びる領域を他の上げ底部の領域よりも延伸させた複数の物性的な耐熱補強部を備えるとともに、該上げ底部の中心から放射状に延びるリブを含まないことを特徴としている。
【００１７】
第５の発明に係る耐熱容器は、
前記上げ底部は、同心円上で順次容器の内方に窪む複数の環状の機械的補強部を備えることを特徴としている。
【００１８】
第６の発明に係る中間容器成形金型は、
前記中間容器の容器胴部形状を有する複数の割型部と、
上げ底部形状を有する上げ底型とを有し、
前記上げ底型が、少なくとも上げ底型の中心部から上げ底型と複数の割型部の合せ面方向へ放射状に延びる凹部を有することを特徴としている。
【００１９】
【作用】
前記構成の第１の発明にあっては、一次ブロー成形時に中間容器の底部に上げ底部を形成し、この上げ底部に中間容器の外方に向けて突出する複数の凸部を形成することにより、中間容器の上げ底部に複数の凸部からなる延伸部分を形成することができ、この中間容器を熱処理する際に、上げ底部に形成した延伸部分も熱処理されて熱安定性が付与されることとなる。
【００２０】
また、前述の熱処理された中間容器を、二次ブロー成形によって、
再びブロー成形することにより、前記上げ底部に形成された熱処理された凸部対応領域の延伸部分がさらに延伸されて他の上げ底部の領域よりも延伸された複数の物性的な耐熱補強部が形成されることとなり、最終容器の上げ底部に熱処理を加えて離型性を悪化させることなく、耐熱性の高い、しかも強度の高い上げ底部が得られることとなる。
【００２１】
したがって、高温の内容物を耐熱容器内に充填した場合であっても、上げ底部が熱によって変形したり、内容物の重量によって大きく変形したりすることを防止することができる。
【００２２】
さらに、従来では、一次ブロー成形時における上げ底部の延伸度が低いために、中間容器を熱処理した際に、上げ底部にリング状の白化部が形成されることがあり、この白化部は高い耐熱性を有しているが、外観上から商品価値を下げることとなるという問題があり、これに対して前述のように中間容器の段階で上げ底部に凸部を形成して上げ底部に十分な延伸部分を形成することにより、十分に延伸させ、熱処理しても白化しにくい状態とすることができる。また、第１の発明にあっては、凸部を上げ底部の中心部から周囲の環状接地部に延びるリブにて形成することにより、最終容器の上げ底部に中心部から周囲の環状接地部に延びる領域を他の上げ底部の領域よりも延伸させた複数の物性的な耐熱補強部を形成することができ、この中心部から周囲の環状接地部に延びる耐熱補強部の存在により高温の内容物の充填に際して上げ底部が大きく熱変形をおこすことなく、しかも内容物の重量によっても大きな変形をおこすことなく、強度を高めることができる。
【００２３】
第２の発明にあっては、第１の発明の状態に加え、一次ブロー成形時において中間容器の凸部を上げ底部の中心部から周囲の環状接地部に延びるリブにて形成することにより、最終容器の上げ底部に中心部から周囲の環状接地部に延びる領域を他の上げ底部の領域よりも延伸させた複数の物性的な耐熱補強部を形成することができ、この中心から周囲の環状接地部に延びる物性的な耐熱補強部の存在により高温の内容物の充填に際して上げ底部が大きく熱変形をおこすことなく、しかも内容物の重量によって大きな変形をおこすことなく補強度を高めることができる。
【００２４】
第３の発明にあっては、上げ底部に容器の外方に向けて突出する複数の凸部を有する中間容器を形成することにより、熱処理時に前記凸部対応の延伸部分も熱処理して上げ底部の耐熱性を高めることができ、しかも二次ブロー成形時に前記凸部対応の延伸部分領域をさらに延伸して他の上げ底部の領域よりも延伸させて上げ底部の強度を高めることができる。また、中間容器の上げ底部に凸部対応の延伸部分を形成することにより、熱処理時における上げ底部の白化を防止して品質を向上させることができる。
【００２６】
第４の発明にあっては、耐熱容器の上げ底部に中心部から周囲の環状接地部に延びる領域を他の上げ底部の領域よりも延伸させた複数の物性的な耐熱補強部を形成することにより、高温の内容物の充填に際して上げ底部が大きく熱変形をおこすことなく、しかも内容物の重量によって大きな変形をおこすことなく、強度を高めることができ、従来の耐熱容器に比し、上げ底部の頂部の高さが低くなるのを防止して品質を向上させることができる。また、第４の発明にあっては、凸部を上げ底部の中心部から周囲の環状接地部に延びるリブにて形成することにより、最終容器の上げ底部に中心部から周囲の環状接地部に延びる領域を他の上げ底部の領域よりも延伸させた複数の物性的な耐熱補強部を形成することができ、この中心部から周囲の環状接地部に延びる耐熱補強部の存在により高温の内容物の充填に際して上げ底部が大きく熱変形をおこすことなく、しかも内容物の重量によっても大きな変形をおこすことなく、強度を高めることができる。
【００２７】
第５の発明にあっては、第４の発明の耐熱補強部に加え、上げ底部に同心円上で順次容器の内方に窪む複数の環状の機械的補強部を形成することにより、より一層上げ底部の強度を高めることができる。
【００２８】
第６の発明にあっては、中間容器成形金型の上げ底型にその中心部から上げ底部と複数の割型部の合せ面に延びる凹部を形成することにより、一次ブロー成形時に中間容器の上げ底部に中心部から周囲の環状接地部に延びる容器外方に向かって突出する凸部を容易に形成することができる。
【００２９】
【実施例】
以下、本発明の好適な実施例について、図面を参照して詳細に説明する。
【００３０】
図１〜図３は、本発明の一実施例に係る耐熱容器を示す図である。
【００３１】
この耐熱容器１０は、例えばポリエチレンテレフタレート（ＰＥＴ）を用いて、二軸延伸ブロー成形により、成形されたもので、上端側の開口部を含むリップ部１２と、このリップ部１２から下方につながる肩部１４と、下端側の底部１６と、この底部１６から上方につながるヒール部１８と、このヒール部１８と肩部１４との間に形成された胴部２０とが一体に成形されたものとなっている。
【００３２】
底部１６は、周囲の環状接地部２２と、この環状接地部２２に囲まれた中央部分の上げ底部２４とから構成され、周囲の環状接地部２２により自立性をもたせるようにしている。
【００３３】
上げ底部２４は、環状接地部２２から連なって中心部が容器内方に突出する状態となっており、その中心部には、ブロー成形時のセンタリング凹部２６が形成されている。また、上げ底部２４には、その中心部から周囲の環状接地部２２へと放射状にのびる領域を他の上げ底部の領域よりも延伸させた複数の高延伸部２８からなる物性的な耐熱補強部３０が設けられている。この高延伸部２８からなる耐熱補強部３０は、図３に示すように、比較的厚肉の厚肉部３２間にあって薄肉状になっている。また、高延伸部２８は、一次ブロー成形時に延伸された後、熱処理されて、強度が高くかつ熱安定性の高い状態とされている。
【００３４】
したがって、この放射状にのびる熱安定性の高い複数の高延伸部２８が上げ底部２４の物性的な補強リブとして機能することとなるため、高温の内容物を充填した場合にも高延伸部２８の熱安定性により、内容物の温度によって上げ底部２４が変形を防止し、しかも内容物の重量に対しても高延伸部２８によって上げ底部２４が放射状に補強された状態となっているため上げ底部２４の変形は防止されることとなる。その結果、従来の耐熱容器に比し、高温の内容物を充填した後においても上げ底部２４の頂部の高さが低くなるようなことはなく、品質を向上させることができる。
【００３５】
図４から図６には、前記実施例における耐熱容器１０を成形するための中間容器の実施例を示す図である。
【００３６】
この中間容器４０は、一次ブロー成形品で、最終容器である耐熱容器１０よりも大きく形成され、この中間容器４０を熱処理して熱収縮させ、その後二次ブロー成形を行って最終容器の形状に成形するようになっている。この中間容器４０においても、最終容器である耐熱容器１０と同様に、開口部を含むリップ部１２、肩部４２、胴部４４、ヒール部４６および底部４８からなる中空体として形成されている。
【００３７】
この中間容器４０の底部４８には、周囲の環状接地部５０と、その内側で容器の内方へ突出する上げ底部５２が形成され、環状接地部５０によって自立性がもたせられ、次工程での搬送性が高められるようになっている。
【００３８】
また、上げ底部５２の中心部には、一次ブロー成形時のセンタリング凹部５４が形成され、そのセンタリング凹部５４の形成された上げ底部５２の中心部から周囲の環状接地部５０に伸びる複数の放射状のリブ５６が中間容器４０の外方に向けて突出形成されている。この上げ底部５２は、通常一次ブロー成形時にあまり延伸されることなく成形される部分であり、その後熱処理をほどこしても、あまり熱安定性が高まらない状態となっているが、本実施例のように上げ底部５２に中間容器４０の外方に突出するリブ５６を形成することにより、リブ５６の両側部６０から谷部６２にかけて十分延伸されることとなり、後の熱処理時にこの延伸部分が十分に延伸されていることから熱安定性が高められることとなり、耐熱性が向上することとなる。また、このリブ５６によって上げ底部５２に放射状の延伸部分が形成されることとなり、この放射状の延伸部が最終容器として成形された際に放射状の物性的なリブとして働くこととなる。
【００３９】
図７及び図８は、中間容器の他の実施例を示す図である。この中間容器７０の上げ底部７２に、中間容器７０の内方に突出する多数の円形の凸部７４を成形することにより、各凸部７４の頂部７６の周囲に中間容器の外方に向けて突出する凸部７５からなる延伸部分を形成し、この上げ底部７２の全体に存在する延伸部分がその後熱処理されることによって熱安定性が付与され、しかも上げ底部７２の全体を補強することとなる。
【００４０】
また、通常の中間容器における上げ底部のようにあまり延伸されない状態で成形されると、熱処理時に上げ底部に白化が生じやすいが、本実施例のように、上げ底部７２の全体に十分な延伸部を存在させることにより、熱処理時における上げ底部の白化を抑制することができる。
【００４１】
図９及び図１０は、本発明の他の実施例に係る耐熱容器を示す図である。
【００４２】
この耐熱容器８０は、上げ底部８２に、その中心部から周囲の環状接地部２２へと放射状に延びる領域を他の上げ底部８２の領域よりも延伸させた複数の高延伸部２８からなる物性的な耐熱補強部３０を設けると共に、上げ底部８２に同心円状で順次耐熱容器８０の内方に窪む複数の環状の機械的補強部８４を形成することにより、放射状の高延伸部２８からなる耐熱補強部３０による放射方向での物性的なリブ効果に加え、複数の環状の機械的補強部８４により周方向でのリブ効果を付与することにより、上げ底部８２の補強をより一層確実にしている。
【００４３】
次に、図１１を中心に図１〜図３に示した実施例における耐熱容器の製造方法について説明する。
【００４４】
まず、図１１の（１）に示すように、例えばＰＥＴを射出キャビティ９０内に射出してリップ部１２を備えた有底筒状のプリフォーム９２を成形する。
【００４５】
次に、（２）に示すように、中間容器成形金型９４を用いて一次ブロ−成形を行い、中間容器４０を成形する。この中間容器４０は、図４から図６にも示すように、開口部を含むリップ部１２、肩部４２、胴部４４、ヒール部部４６及び底部４８からなる最終容器よりも大きな中空体として成形されるようになっている。また、底部４８には、周囲の環状接地部５０と、この環状接地部５０に囲まれた上げ底部５２が形成されている。
【００４６】
中間容器成形金型９４は、胴部４４の形状を有する複数、本実施例においては２つの割型部９６と、上げ底部５２の形状を有する上げ底型９８から構成され、この上げ底型９８には、図１２に示すように、上げ底型９８の中心部から、上げ底型９８と複数の割型部９６の合わせ面１００の方向へ伸びる放射状の複数の凹部１０２が形成されている。
【００４７】
そして、前記上げ底型９８を有する中間容器成形金型９４を用いてプリフォーム９２をブロー成形することにより、中間容器４０の上げ底部５２に、上げ底部５２の中心部から周囲の環状接地部５０に伸びる複数の放射状のリブ５６が中間容器４０の外方に向けた状態で突出形成されることとなる。このように、通常は延伸されにくい上げ底部５２に放射状のリブ５６を形成することにより、リブ５６の両側部６０から谷部６２にかけて十分な延伸部分を形成することができる。
【００４８】
次いで、前述の一次ブロー成形により成形された中間容器４０を、（３）に示すように、熱処理して熱収縮させ、最終容器よりも若干小さめの容器１０４を形成する。この熱処理時に、複数の放射状のリブ５６によって上げ底部５２に形成された延伸部分が十分に延伸されていることから、この延伸部分の熱安定性が高められることとなり、耐熱性が向上することとなる。また、前述の中間容器４０を熱処理工程に供給搬送する場合、中間容器の底部に底部４８の環状接地部５０が形成されているため、自立した状態で搬送することができ、搬送性が向上することとなる。
【００４９】
そして、前述の熱収縮されて最終容器よりも若干小さめに形成された容器１０４を、最終容器成形金型１０６内で二次ブロー成形することにより、最終容器としての耐熱容器１０が成形されることとなる。最終容器成形金型１０６には、上げ底型１０８が設けられ、この上げ底型１０８により、耐熱容器１０の底部１６に上げ底部２４が成形されるようになっている。この上げ底部２４には、その中心部から周囲の環状接地部２２へと放射状に延びる領域が他の上げ底部２４の領域よりも延伸された複数の高延伸部２８からなる物性的な耐熱補強部３０が設けられている。この複数の高延伸部２８からなる物性的な耐熱補強部３０は、中間容器４０の上げ底部５２に形成されたリブ５６からなる延伸部分が、熱処理によって熱安定性が高められ、更に二次ブロー成形時に延伸されることにより、熱安定性の高い高延伸部２８が放射状に配置された物性的なリブとして働くこととなり、高温の内容物を充填した場合でも、熱変形を生じることがなく、しかも内容物の重量によって変形することもない。
【００５０】
また、上げ底部２４には、十分に延伸された高延伸部２８が放射状に存在することから、熱処理によっても上げ底部２４に白化が生じるのを抑止することが可能である。
【００５１】
本発明は、前記実施例に限定されるものではなく、本発明の要旨の範囲内において種々の変形実施が可能である。
【００５２】
例えば、図７及び図８に示す中間容器を二次ブロー成形して最終容器を成形する場合に、最終容器成形金型により最終容器の上げ底部に同心円上で順次内方に窪む複数の環状の機械的補強部を形成することも可能である。
【００５３】
【発明の効果】
以上説明したように第１の発明によれば、一次ブロー成形時に中間容器の底部に上げ底部を形成し、この上げ底部に中間容器の外方に向けて突出する複数の凸部を形成することにより、中間容器の上げ底部に複数の凸部からなる延伸部分を形成することができ、この中間容器を熱処理する際に、上げ底部に形成した延伸部分も熱処理されて熱安定性が付与することができるという効果がある。
【００５４】
また、前述の熱処理された中間容器を、二次ブロー成形によって、
再びブロー成形することにより、前記上げ底部に形成された熱処理された凸部対応領域の延伸部分がさらに延伸されて他の上げ底部の領域よりも延伸された複数の物性的な耐熱補強部が形成されることとなり、最終容器の上げ底部に熱処理を加えて離型性を悪化させることなく、耐熱性の高い、しかも強度の高い上げ底部が得られるという効果がある。
【００５５】
したがって、高温の内容物を耐熱容器内に充填した場合であっても、上げ底部が熱によって変形したり、内容物の重量によって大きく変形したりすることを防止することができるという効果がある。
【００５６】
さらに、従来では、一次ブロー成形時における上げ底部の延伸度が低いために、中間容器を熱処理した際に、上げ底部にリング状の白化部が形成されることがあり、この白化部は高い耐熱性を有しているが、外観上から商品価値を下げることとなるという問題があり、これに対して前述のように中間容器の段階で上げ底部に凸部を形成して上げ底部に十分な延伸部分を形成することにより、十分に延伸させ、熱処理しても白化しにくい状態とすることができるという効果がある。また、第１の発明によれば、凸部を上げ底部の中心部から周囲の環状接地部に延びるリブにて形成することにより、最終容器の上げ底部に中心部から周囲の環状接地部に延びる領域を他の上げ底部の領域よりも延伸させた複数の物性的な耐熱補強部を形成することができ、この中心部から周囲の環状接地部に延びる耐熱補強部の存在により高温の内容物の充填に際して上げ底部が大きく熱変形をおこすことなく、しかも内容物の重量によっても大きな変形をおこすことなく、強度を高めることができるという効果がある。
【００５７】
第２の発明によれば、第１の発明の状態に加え、一次ブロー成形時において中間容器の凸部を上げ底部の中心部から周囲の環状接地部に延びるリブにて形成することにより、最終容器の上げ底部に中心部から周囲の環状接地部に延びる領域を他の上げ底部の領域よりも延伸させた複数の物性的な耐熱補強部を形成することができ、この中心から周囲の環状接地部に延びる物性的な耐熱補強部の存在により高温の内容物の充填に際して上げ底部が大きく熱変形をおこすことなく、しかも内容物の重量によっても大きな変形をおこすことなく、補強度を高めることができるという効果がある。
【００５８】
第３の発明によれば、上げ底部に容器の外方に向けて突出する複数の凸部を有する中間容器を形成することにより、熱処理時に前記凸部対応の延伸部分も熱処理して上げ底部の耐熱性を高めることができ、しかも二次ブロー成形時に前記凸部対応の延伸部分領域をさらに延伸して他の上げ底部の領域よりも延伸させて上げ底部の強度を高めることができる。また、中間容器の上げ底部に凸部対応の延伸部分を形成することにより、熱処理時における上げ底部の白化を防止して品質を向上させることができるという効果がある。
【００６０】
第４の発明によれば、耐熱容器の上げ底部に中心部から周囲の環状接地部に延びる領域を他の上げ底部の領域よりも延伸させた複数の物性的な耐熱補強部を形成することにより、高温の内容物の充填に際して上げ底部が大きく熱変形をおこすことなく、しかも内容物の重量によって大きな変形をおこすことなく、強度を高めることができ、従来の耐熱容器に比し、上げ底部の頂部の高さが低くなるのを防止して品質を向上させることができるという効果がある。また、第４の発明によれば、凸部を上げ底部の中心部から周囲の環状接地部に延びるリブにて形成することにより、最終容器の上げ底部に中心部から周囲の環状接地部に延びる領域を他の上げ底部の領域よりも延伸させた複数の物性的な耐熱補強部を形成することができ、この中心部から周囲の環状接地部に延びる耐熱補強部の存在により高温の内容物の充填に際して上げ底部が大きく熱変形をおこすことなく、しかも内容物の重量によっても大きな変形をおこすことなく、強度を高めることができるという効果がある。第５の発明によれば、第４の発明の耐熱補強部に加え、上げ底部に同心円上で順次容器の内方に窪む複数の環状の機械的補強部を形成することにより、より一層上げ底部の強度を高めることができるという効果がある。
【００６１】
第６の発明によれば、中間容器成形金型の上げ底型にその中心部から上げ底部と複数の割型部の合せ面に延びる凸部を形成することにより、一次ブロー成形時に中間容器の上げ底部に中心部から周囲の環状接地部に延びる容器外方に向かって突出する凸部を容易に形成することができるという効果がある。
【図面の簡単な説明】
【図１】本発明の耐熱容器の一実施例を示す一部破断正面図である。
【図２】図１の耐熱容器の底面図である。
【図３】図２のIII −III 線に沿う断面図である。
【図４】本発明の中間容器の一実施例を示す一部破断正面図である。
【図５】図４の中間容器の底面図である。
【図６】図５のVI−VI線に沿う断面図である。
【図７】本発明の中間容器の他の実施例を示す一部破断部分正面図である。
【図８】図７の中間容器の底面図である。
【図９】本発明の耐熱容器の他の実施例を示す一部破断部分正面図である。
【図１０】図９の耐熱容器の底面図である。
【図１１】本発明の一実施例に係る耐熱容器の成形方法を示す図である。
【図１２】図１１における中間容器成形金型の上げ底型を示す部分斜視図である。
【符号の説明】
１０、８０  耐熱容器
２２  耐熱容器の環状接地部
２４、８２  耐熱容器の上げ底部
２８  高延伸部
３０  耐熱補強部
４０、７０  中間容器
５０  中間容器の環状接地部
５２、７２  中間容器の上げ底部
５６  リブ
８４  機械的補強部
９４  中間容器成形金型
９６  割型部
９８  上げ底型
１００  合せ面
１０２  凹部
【図１】
0003777198.tif 000002
【図２】
0003777198.tif 000003
【図３】
0003777198.tif 000004
【図４】
0003777198.tif 000005
【図５】
0003777198.tif 000006
【図６】
0003777198.tif 000007
【図７】
0003777198.tif 000008
【図８】
0003777198.tif 000009
【図９】
0003777198.tif 000010
【図１０】
0003777198.tif 000011
【図１１】
0003777198.tif 000012
【図１２】
0003777198.tif 000013